(57)【要約】      （修正有）【課題】折り畳まれたときに容積を最小にできる折り畳み式ボールトロリーを提供する。【解決手段】最小の容積を有する折り畳み式ボールトロリーはフレーム１０、バッグ２０及び複数の弾性部材を有する。フレーム１０は４つの脚部１１、４つの頂部台座１２、４つの摺動台座１３、４つの車輪１４、４つの連結ロッド組立部１５及び４つの取り付けロッド１６を有する。バッグ２０は取り付けロッド１６に接続し、取り付けロッド１６は脚部１１に枢動可能に接続している。その結果、ボールトロリーが折り畳まれたときに非常に広い空間を占有するために、取り付けロッド１６が上方へ突き出さないように脚部１１に対して取り付けロッド１６を回転することができる。また、フレーム１０は弾性部材により補強され、それにより使用者はボールトロリーを折り畳むときにロッド１６の間に手を伸ばす必要がなく、よって手を固定することから防ぐ。【選択図】図１
2014200668.tif 000002
【特許請求の範囲】
【請求項１】
長方形に配置された４つの脚部と、
脚部の頂部にそれぞれ取り付けられた４つの頂部台座と、
脚部にそれぞれ動くことができるように取り付けられた４つの摺動台座と、
脚部の下端部にそれぞれ取り付けられた４つの車輪と、
２つの隣接する脚部の間に各々取り付けられた４つの連結ロッド組立部と、
頂部台座にそれぞれ枢動可能に接続している４つの取り付けロッドと、
を有するフレームと、
フレームに取り付けられ、取り付けロッドに接続し、収容室及び開放部を有するバッグと、
フレームに取り付けられ、フレームを補強する複数の弾性部材と、
からなることを特徴とする最小の容積を有する折り畳み式ボールトロリー。
【請求項２】
各弾性部材の２つの端部はそれぞれ同じ脚部の頂部台座及び摺動台座に接続していることを特徴とする請求項１記載の折り畳み式ボールトロリー。
【請求項３】
弾性部材はバネであることを特徴とする請求項１又は請求項２記載の折り畳み式ボールトロリー。
【請求項４】
バッグは第１の外面と、
第１の外面と反対側の第２の外面と、
４つの取り付け片を有し、
取り付け片の２つは第１の外面に互いに対向して取り付けられ、
他の２つの取り付け片は第２の外面に互いに対向して取り付けられ、
各取り付け片は伸長され、外側端部から内側端部へ下方に傾斜され、内部の空洞と開放部を有し、
取り付けロッドはそれぞれバッグの取り付け片に取り付けられていることを特徴とする請求項１乃至請求項３のうち何れか１項記載の折り畳み式ボールトロリー。
【請求項５】
頂部台座の２つは互いに対向して取り付けられており、他の２つの頂部台座は互いに対向して取り付けられており、
各頂部台座は外側から内側へ下方に傾斜する当接面を有し、
各取り付けロッドはそれぞれ対応する頂部台座の当接面に当接していることを特徴とする請求項１乃至請求項４のうち何れか１項記載の折り畳み式ボールトロリー。
【請求項６】
各頂部台座は互いの間に間隔を有して形成された２つのピボット壁と、
ピボット壁の反対側の内面にそれぞれ形成された２つの位置決め点を有し、
各取り付けロッドは対応する頂部台座のピボット壁の間に取り付けられ、取り付けロッドの反対側の外面にそれぞれ形成された２つの位置決め凹部を有し、それぞれ選択的に対応する頂部台座の位置決め点に係合していることを特徴とする請求項１乃至請求項５のうち何れか１項記載の折り畳み式ボールトロリー。
【請求項７】
各連結ロッド組立部は互いに枢動可能に接続している２つの連結ロッドを有し、
各連結ロッドの２つの端部は２つの隣接する脚部でそれぞれ枢動可能に頂部台座と摺動台座に接続していることを特徴とする請求項１乃至請求項６のうち何れか１項記載の折り畳み式ボールトロリー。
【請求項８】
バッグの輪郭は長方形であることを特徴とする請求項１乃至請求項７のうち何れか１項記載の折り畳み式ボールトロリー。
【請求項９】
バッグの収容室は直方体であることを特徴とする請求項８記載の折り畳み式ボールトロリー。
【請求項１０】
バッグはさらにバッグの収容室の底部に形成された下部室を有していることを特徴とする請求項１乃至請求項９のうち何れか１項記載の折り畳み式ボールトロリー。
【請求項１１】
バッグはバッグの下部室の内面の周りに取り付けられたジッパーを有し、
ジッパーは下部室の垂直側に定められた連結点と、
下部室の内面の周りに取り付けられ、連結点から延び、下部室の底部へ下方に斜めに延び、下部室の内面を取り囲んでいる下部ジッパー片と、
下部室の内面の周りに取り付けられ、連結点から延び、上方へ斜めに延び、下部室の内面を取り囲んでいる上部ジッパー片と、
を有していることを特徴とする請求項１０記載の折り畳み式ボールトロリー。
【請求項１２】
さらにフレームに取り付けられ、選択的にフレームを取り囲み、固定する固定ベルトからなることを特徴とする請求項１乃至請求項１１のうち何れか１項記載の折り畳み式ボールトロリー。
【発明の詳細な説明】
【技術分野】
【０００１】
本発明は、折り畳み式ボールトロリーに係り、特に折り畳んだときに容積を最小にできるボールトロリーに関する。
【背景技術】
【０００２】
バレーボールやバスケットボールなどの多数のまた様々な種類のボールを収容するために、ボールトロリーは例えば体育館のようなスポーツ競技場においては一般的である。使用者はその中にボールを入れ、ボールトロリーを便利に動かすことができたりボールトロリーからボールを使うために頻繁に取り出したりすることができる。
【０００３】
図１１を参照すると、第１の従来のボールトロリーは折り畳み式フレーム８１、バッグ８２及び複数の弾性部材８３を有している。フレーム８１は４つの脚部８１１、４つの車輪８１３及び複数の連結ロッド８１２を有している。車輪８１３は第１の従来のボールトロリーを動かすために脚部８１の下端部にそれぞれ取り付けられている。各連結ロッド８１２の頂部は、脚部８１１の一端の頂部に枢動可能に接続し、一方各連結ロッド８１２の下端部は軸方向に可動な状態で他の脚部８１１に枢動可能に接続している。バッグ８２はフレーム８１の周りに取り付けられ、ボールを収容するために収容室８２１と開放された上部を有している。弾性部材８３は、２つの隣接する脚部８１１を外的に補強するために連結ロッド８１２の下端部を引き上げるように、脚部８１１の一端の頂部と同じ脚部８１１に接続している連結ロッド８１２の下端部との間に取り付けられている。
【０００４】
しかし、前記従来のボールトロリーは以下の欠点を有している。第１に、フレーム８１はバッグ８２の内側に配置されているので、ボールやボールを取り出す際に収容室８２１に伸ばした使用者の手を傷つける虞がある。第２に、収容室８２１の開放された上部はかなり小さいので使用者が便利にボールを取り出すことができない。第３に、収容室８２１はあまりに深く、それが使用者が便利にボールを取り出すことができない他の理由でもある。
【０００５】
図１２を参照すると、上記の欠点を解消するために第２の従来のボールトロリーが提供される。４つの連結ロッド９１２が脚部９１１の頂部から傾斜して突き出されている。バッグ９２は大きな開放部を有するより浅い収容室９２１を形成するために突出した連結ロッド９１２の周りに取り付けられている。また、連結ロッド９１２はボールや手を傷つけないようにバッグ９２の外表面に結合されている。
【０００６】
しかし、第２の従来のボールトロリーはまだ以下の欠点を有している。第１に、図１３を参照すると、第２の従来のボールトロリーは複数の補強ロッド９１４を有している。補強ロッド９１４の２つは２つの隣接する連結ロッド９１２の間に取り付けられ、互いが枢動可能に結合され係合されている。第２の従来のボールトロリーが折り畳まれるとき、２つの補強ロッド９１４は使用者の手が補強ロッド９１４と連結ロッド９１２で固定できるように最初に押し上げられる。第２に、図１４を参照すると、第２の従来のボールトロリーが折り畳まれた後、連結ロッド９１２は実質的にまっすぐに直立し上方に突き出し、それは運搬や格納においてより空間を占有するために第２の従来のボールトロリーの容積を増加させる。第３に、図１２を参照すると、バッグ９２の上部開放部はより広いけれども、収容室９２１はより浅く、バッグ９２は断面積において台形である。結果として、バッグ９２の収容室９２１はボールを収容するための容量としてはまだ十分な大きさではない。
【０００７】
欠点の解消のため、本発明は前述の問題を軽減したり除去したりして最小の容積を有する折り畳み式ボールトロリーを提供するものである。
【発明の概要】
【発明が解決しようとする課題】
【０００８】
本発明の主要な目的は折り畳まれたときに容積を最小にできる折り畳み式ボールトロリーを提供することである。
【課題を解決するための手段】
【０００９】
最小の容積を有する折り畳み式ボールトロリーはフレーム、バッグ及び複数の弾性部材を有している。フレームは４つの脚部、４つの頂部台座、４つの摺動台座、４つの車輪、４つの連結ロッド組立部及び４つの取り付けロッドを有している。脚部は長方形に配置されている。頂部台座はそれぞれ脚部の頂部に取り付けられている。摺動台座はそれぞれ脚部を動くことができるように取り付けられている。車輪はそれぞれ脚部の下端部に取り付けられている。各連結ロッド組立部は２つの隣接する脚部の間に取り付けられている。取り付けロッドはそれぞれ枢動可能に頂部台座に接続している。バッグはフレームに取り付けられ、取り付けロッドに接続し、収容室及び開放部を有している。弾性部材はフレームに取り付けられ、フレームを外部的に補強している。
【００１０】
バッグは取り付けロッドに接続し、取り付けロッドは脚部に枢動可能に接続しているので、ボールトロリーが折り畳まれたときに非常に広い空間を占有するために、取り付けロッドが上方へ突き出さないように脚部に対して取り付けロッドを回転することができる。また、フレームは弾性部材により補強され、それにより使用者はボールトロリーを折り畳むときにロッドの間に手を伸ばす必要がなく、手を固定することを防ぐ。
【００１１】
発明の他の目的、長所、新規な特徴は添付の図面を参照するとき以下の詳細な説明からより明らかとなるであろう。
【図面の簡単な説明】
【００１２】
【図１】本発明による最小の容積を有する折り畳み式ボールトロリーの斜視図である。
【図２】図１における折り畳み式ボールトロリーの分解斜視図である。
【図３】図１における折り畳み式ボールトロリーの拡大斜視図で、ボールトロリーに取り付けられた固定ベルトを示している。
【図４】図１における折り畳み式ボールトロリーの拡大斜視図で、頂部台座を示している。
【図５】図１における折り畳み式ボールトロリーの操作正面図で、折り畳まれた下部室を示している。
【図６】図１における折り畳み式ボールトロリーの操作正面図で、拡張した下部室を示している。
【図７】図１における折り畳み式ボールトロリーの拡大操作斜視図で、拡張した下部室を示している。
【図８】図１における折り畳み式ボールトロリーの拡大斜視図で、ボールトロリーに取り付けられた弾性部材を示している。
【図９】図１における折り畳み式ボールトロリーの操作図で、折り畳まれた取り付けロッドを示している。
【図１０】図１における折り畳み式ボールトロリーの操作図で、折り畳まれた脚部を示している。
【図１１】従来技術による第１の従来のボールトロリーの斜視図である。
【図１２】従来技術による第２の従来のボールトロリーの斜視図である。
【図１３】図１２における従来のボールトロリーの側面図で、補強ロッドを示している。
【図１４】図１２における従来のボールトロリーの正面操作図で、折り畳まれたボールトロリーを示している。
【発明を実施するための形態】
【００１３】
図１〜図３を参照すると、本発明による最小の容積を有する折り畳み式ボールトロリーはフレーム１０、バッグ２０及び複数の弾性部材３０からなっている。好ましい実施の形態では、折り畳み式ボールトロリーはさらに固定ベルト４０を有している。
【００１４】
図１及び図２を参照すると、フレーム１０は４つの脚部１１、４つの頂部台座１２、４つの摺動台座１３、４つの車輪１４、４つの連結ロッド組立部１５及び４つの取り付けロッド１６を有している。
【００１５】
脚部１１は長方形に配置されている。
【００１６】
図１、図２及び図４を参照すると、頂部台座１２はそれぞれ脚部１１の頂部に取り付けられている。好ましい実施の形態では、頂部台座１２の２つが互いに対向しており、頂部台座１２の他の２つもまた互いに対向している。各頂部台座１２は２つのピボット壁１２１、２つの位置決め点１２３及び当接面１２２を有している。ピボット壁１２１は互いの間で間隔のある状態で取り付けられている。位置決め点１２３はそれぞれピボット壁１２１の内面に形成されている。当接面１２２はピボット壁１２１の間に配置されており、外側から内側に向けて下方に傾斜している。頂部台座１２は好ましくはプラスチックで作られているが、これに限定されるものではない。
【００１７】
図１及び図２を参照すると、摺動台座１３は動くことができるようにそれぞれ脚部１１に取り付けられている。
【００１８】
車輪１４はそれぞれ脚部１１の下端部に取り付けられている。
【００１９】
各連結ロッド組立部１５は２つの隣接する脚部１１の間に取り付けられている。好ましい実施の形態では、各連結ロッド組立部１５は２つの連結ロッド１５１を有している。連結ロッド１５１は互いに枢動可能に接続している。各連結ロッド１５１の２つの端部は、各頂部台座１２が枢動可能に２つの連結ロッド１５１に垂直方向に接続するようにかつ各摺動台座１３もまた２つの連結ロッド１５１に垂直方向に接続するように２つの隣接する脚部１１で頂部台座１２と摺動台座１３にそれぞれ枢動可能に連結されている。
【００２０】
図１、図２及び図４を参照すると、取り付けロッド１６はそれぞれ枢動可能に頂部台座１２に接続している。好ましい実施の形態では、各取り付けロッド１６は対応する頂部台座１２のピボット壁１２１の間に取り付けられ、選択的に頂部台座１２の当接面１２２に当接している。各取り付けロッド１６は２つの位置決め凹部１６１を有している。各位置決め凹部１６１は取り付けロッド１６１の反対側の外面にそれぞれ形成されており、それぞれ選択的に頂部台座１２のピボット壁１２１の位置決め点１２３に係合している。
【００２１】
図１及び図２を参照すると、バッグ２０はフレーム１０に取り付けられ、取り付けロッド１６に接続し、収容室２１及び開放部を有している。好ましい実施の形態では、バッグ２０の輪郭は長方形で、収容室２１は直方体である。バッグ２０はさらに収容室２１の底部に形成されている下部室２２を有している。図２及び図５から図７までを参照すると、容量を拡大するために下部室２２を下方に拡張することができる。バッグ２０は下部室２２の内面の周りに取り付けられるジッパー２２１を有している。ジッパー２２１は連結点、下部ジッパー片２２２及び上部ジッパー片２２３を有している。下部ジッパー片２２２及び上部ジッパー片２２３は互いに連結点で接続されている。連結点は下部室２２の垂直側に定められている。下部室２２が拡張された後、連結点は実質的に下部室２２の底部から頂部への３分の１の高さのところになる。下部ジッパー片２２２は下部室２２の内面の周りに取り付けられ、連結点から延び、下部室２２の底部へ下方に斜めに延び、さらに、下部室２２の内面を取り囲んでいる。上部ジッパー片２２３は下部室２２の内面の周りに取り付けられ、連結点から延び、下部室２２の底部から頂部へ３分の２の高さのところに上方へ斜めに延び、そして下部室２２の内面を取り囲んでいる。図１及び図２を参照すると、バッグ２０はさらに第１の外面と第２の外面及び４つの取り付け片２３を有している。第１の外面と第２の外面は互いに反対側となっている。取り付け片２３のうちの２つは第１の外面に互いに対向して取り付けられている。他の２つの取り付け片２３もまた第２の外面に互いに対向して取り付けられている。各取り付け片２３は伸長され、外側端部から内側端部へ下方に傾斜され、内部の空洞と開放部を有している。取り付け片２３はそれぞれフレーム１０の取り付けロッド１６の周りに取り付けられている。
【００２２】
図１、図２及び図８を参照すると、弾性部材３０はフレーム１０に取り付けられ、フレーム１０を外部的に補強している。好ましい実施の形態では、最小の容積を有する折り畳み式のボールトロリーは２つの反対側の脚部１１に対角線上にそれぞれ取り付けられた２つの弾性部材３０有している。各弾性部材３０の２つの端部は同じ脚部１１上で頂部台座１２と摺動台座１３にそれぞれ接続されている。弾性部材３０はバネである。
【００２３】
図１から図３を参照すると、固定ベルト４０はフレーム１０に取り付けられている。固定ベルト４０は選択的にフレーム１０を取り囲み固定している。好ましい実施の形態では、固定ベルト４０は脚部１１の１つにしっかりと取り付けられ、固定ベルト４０の２つの端部は選択的に互いに係合している。
【００２４】
図１及び図４を参照すると、説明されているように、折り畳み式ボールトロリーが使用される場合、脚部１１は拡張されている。各取り付けロッド１６は対応する頂部台座１２の当接面１２２に当接している。取り付けロッド１６の位置決め凹部１６１は対応する頂部台座１２の位置決め点１２３にそれぞれ係合している。バッグ２０の取り付け片２３はバッグ２０が支えられるように拡張された脚部１１の周りにそれぞれ取り付けられている。
【００２５】
その結果使用者はバッグ２０の収容室２１や下部室２２の中に様々な種類のボールを入れることができる。収容室２１は直方体であり、バッグ２０は収容室２１の底部に形成された下部室２２を有しているので、バッグ２０の容量は拡大されている。図２及び図５から図７までを参照すると、バッグ２０の容量を調整するために下部室２２を広げ折り畳むことができる。下部室が折り畳まれるとき、下部ジッパー片２２２と上部ジッパー片２２３はジッパーを締められ、下部室２２の壁の部分は下部ジッパー片２２２と上部ジッパー片２２３の間で折り畳まれる。下部室２２が広げられるときには、ジッパー２２１は完全に開かれ、その結果下部室２２の底部を下部ジッパー片２２２で引き下ろすことができ、よって下部室２２の折り畳まれた壁を下方へ広げることができる。広げられたときの下部室２２の容量は折り畳まれたときの下部室２２の容量より３倍増大される。下部室２２を広げたり折り畳んだりするために、使用者はただジッパー２２１を引くだけで、便利である。
【００２６】
図４を参照すると、最小の容積を有する折り畳み式ボールトロリーが折り畳まれるとき、各取り付けロッド１６は、取り付けロッド１６の位置決め凹部１６１が頂部台座１２の位置決め点１２３から離れるように頂部台座１２に対してわずかに回転する。その結果取り付けロッド１６を頂部台座１２に対して自由に回転させることができる。図２を参照すると、バッグ２０は持ち上げられ、バッグ２０の動きとともに、取り付けロッド１６は垂直になるように徐々に上部へ回転する。図９を参照すると、その後、各取り付けロッド１６は、取り付けロッド１６が脚部１１に平行になるまで頂部台座１２に対して回転し、脚部１１の内面に当接する。図１０を参照すると、その結果脚部１１は内側に向けて押される。２つの隣接する脚部１１がより近づくと、各連結ロッド１５１の下端は弾性部材３０の抵抗力に抗し、摺動台座１３を押し下げる。摺動台座１３は他の連結ロッド１５１の下端とともに下方へ動く。よって、任意の２つの反対側の脚部１１を内側へ押すと、すべての脚部１１を内側へ動かせる。脚部１１が内側へ動いた後、固定ベルト４０の２つの端部は脚部１１を包囲し、しっかりと互いを接続し、弾性部材３０の弾性力によって脚部１１が広げられる状態から阻止する。
【００２７】
上記したように、脚部を折り畳むために、使用者は任意の２つの反対側の脚部１１の外面を内側へ押すだけである。使用者は脚部１１の間に手を伸ばす必要がなく、手が固定される状態を防ぐ。さらに、取り付けロッド１６は脚部１１の内面に当接しており、ボールトロリーが折り畳まれるときにボールトロリーの容積を減少させることができるように上部へ突き出しておらず、運搬や格納に都合がよい。
【００２８】
要約すると、上記したように最小の容積を有する折り畳み式ボールトロリー使用に際する容量を大きくすることができ、折り畳んでいる間に使用者を固定されている状態から防ぎ、折り畳んだときの容積を減少させることができる。
【００２９】
ボールトロリーが折り畳んだ状態から広げられようとするとき、使用者は固定ベルトを解くだけである。その結果補強している弾性部材３０が元の長さに戻り、摺動台座１３を引き上げ、よって脚部１１を広げる。その結果、バッグ２０はフレーム１０に取り付けられる。
【００３０】
たとえ本発明の多数の特性や利点が前記において説明されているとしても、発明の構成や特徴の詳細とともに、開示されていることは単に例示である。詳細において、特に形状や寸法、部品の配置の項目において発明の本質の範囲内で添付した特許請求の範囲における用語の広い一般的な意味により示される変更を行うことができる。
【符号の説明】
【００３１】
１０・・・フレーム
１１・・・脚部
１２・・・頂部台座
１２１・・・ピボット壁
１２２・・・当接面
１２３・・・位置決め点
１３・・・摺動台座
１４・・・車輪
１５・・・連結ロッド組立部
１５１・・・連結ロッド
１６・・・取り付けロッド
１６１・・・位置決め凹部
２０・・・バッグ
２１・・・収容室
２２・・・底部室
２３・・・取り付け片
２２１・・・ジッパー
２２２・・・下部ジッパー片
２２３・・・上部ジッパー片
３０・・・弾性部材
４０・・・固定ベルト
【図１】
2014200668.tif 000003
【図２】
2014200668.tif 000004
【図３】
2014200668.tif 000005
【図４】
2014200668.tif 000006
【図５】
2014200668.tif 000007
【図６】
2014200668.tif 000008
【図７】
2014200668.tif 000009
【図８】
2014200668.tif 000010
【図９】
2014200668.tif 000011
【図１０】
2014200668.tif 000012
【図１１】
2014200668.tif 000013
【図１２】
2014200668.tif 000014
【図１３】
2014200668.tif 000015
【図１４】
2014200668.tif 000016